(57)【要約】【課題】  載置台に展示される展示品を、演出効果を向上させて購買者の購入意欲を高めて展示することができるレーザ照明具と、レーザ光を利用することによる置物の提供。【解決手段】  展示品を載置する載置台と該載置台に載置される展示品に照明用の光を照射する光源からなる照明具であって、前記光源が、レーザ照射体を有することを特徴とする。【選択図】  図１
2006323006.tif 000002
【特許請求の範囲】
【請求項１】
展示品を載置する載置台と該載置台に載置される展示品に照明用の光を照射する光源からなる照明具であって、
前記光源が、レーザ照射体を有することを特徴とするレーザ照明具。
【請求項２】
前記載置台が、透光性の材質で形成されていることを特徴とする請求項１記載のレーザ照明具。
【請求項３】
前記レーザ照射体は、レーザ光の指向方向を変更する駆動機構及び／又はレーザ光の断面形状を変更する制御機構が設けられていることを特徴とする請求項１又は２に記載のレーザ照明具。
【請求項４】
前記レーザ照射体が照射するレーザ光の主波長が、５００〜５６５ｎｍであることを特徴とする請求項１乃至３いずれかに記載のレーザ照明具。
【請求項５】
前記レーザ照射体の出力が、クラス２以下であることを特徴とする請求項１乃至４いずれかに記載のレーザ照明具。
【請求項６】
透光性の材質で形成されるとともに光を乱反射させる複数の反射部が含有される透光体と、前記透光体下端に配置されるとともに該透光体へレーザ光を照射するレーザ照射体を有する置物。
【請求項７】
前記レーザ照射体は、レーザ光の指向方向を変更する駆動機構及び／又はレーザ光の断面形状を変更する制御機構が設けられていることを特徴とする請求項６に記載の置物。
【請求項８】
前記レーザ照射体が照射するレーザ光の主波長が、５００〜５６５ｎｍであることを特徴とする請求項６又は７に記載の置物。
【請求項９】
前記レーザ照射体の出力が、クラス２以下であることを特徴とする請求項６乃至８いずれかに記載の置物。
【発明の詳細な説明】
【技術分野】
【０００１】
本発明は、レーザ照明具及び置物に関し、より詳しくは、載置台に展示される展示品を、演出効果を向上させて購買者の購入意欲を高めて展示することができるレーザ照明具と、レーザ光を利用することによる置物に関する。
【背景技術】
【０００２】
従来、ショーケースは、蛍光灯や電球を使用して載置台に展示される展示品を、商品価値を高めるように演出することにより、購買者の購入意欲を向上させていた。
しかしながら、従来のショーケースでは、展示品を載置台に載置して、光源からの光を展示品に照射していたに過ぎず、購買者の購入意欲を特段向上させる工夫がされているものではなかった。
【０００３】
このため、特許文献１には、展示品の形状、性質に合わせて照明環境を変更し、展示品に応じる極めて効果的な照明環境を提供することのできる展示ケースが開示されている。この特許文献１記載の展示ケースでは、ケース本体の上部に位置する上枠内に気密透明板を張設し、この気密板の上部に光源を配置すると共に、気密透明板の下部に遮光板をケース本体の開口部から抜差自在となるよう挿入し、使用する遮光板の種類を展示品に合わせて選択することにより、展示品の形状や性質に応じた照明環境を得ることができるように設定されている。
また、特許文献２には、展示品を載置するベース台上に、周囲を少なくとも一部が透光性の側面板で囲い、上端に非透光性の天板を設けて展示部を形成するとともに、ベース台に内蔵した光源から発した照明光を側面板の内面に沿って天板に照射し、天板に設けた反射面にて下方の展示品を照射してなる展示ケースが開示されている。
この特許文献２記載の展示ケースは、四隅から照射される照明光を夫々側面板で反射させることにより、展示品に影を生じさせることない照明環境を得ることができるように設定されている。
【０００４】
しかしながら、上記の特許文献１及び２では、光源から照射される照射光が電灯やハロゲンランプを利用した光源により供給されたていた。このため、ただ単に展示品を照明光によって照射しているに過ぎず、展示品を照明する効果しか奏することができず、単調な照明効果しか奏することができなかった。
このような理由から、購買者の購買意欲を向上させることのできる演出効果を奏することのできるショーケースの創出が要望されていた。
【０００５】
また一方で、光源に発光ダイオード（ＬＥＤ）を利用したショーケース（商品陳列台）の発明が創出されている（例えば、特許文献３参照）。
この特許文献３に記載される発明は、光源にＬＥＤを利用し、このＬＥＤからの照射光がレンズを介することによって増幅されることにより、照明光を効果的に利用しようとする発明である。
しかしながら、この特許文献３に記載される商品陳列台も、特許文献１及び２の発明と同様、購買者の購買意欲を増進させることのできる演出効果を奏することができなかった。
上記の如く特許文献１乃至３が効果的な演出効果を期待することができない要因として、これら特許文献１乃至３の光源では、照明光自体が拡散してしまい、展示品のみを照射することが難しいことがその主な原因であった。
【０００６】
【特許文献１】特開平９−２９９２０４号公報
【特許文献２】特開平９−２９９２０５号公報
【特許文献３】実用新案登録第３０９４５０４号公報
【発明の開示】
【発明が解決しようとする課題】
【０００７】
本発明は、このような実情に鑑みてなされたもので、購買者の意欲を向上させることのできる演出効果を奏することができるレーザ照明具を提供するとともに、演出効果の極めて高いレーザ光を利用する置物を提供する。
【課題を解決するための手段】
【０００８】
請求項１記載の発明は、展示品を載置する載置台と該載置台に載置される展示品に照明用の光を照射する光源からなる照明具であって、前記光源が、レーザ照射体を有することを特徴とするレーザ照明具を提供する。
【０００９】
請求項２記載の発明は、前記載置台が、透光性の材質で形成されていることを特徴とする請求項１記載のレーザ照明具を提供する。
【００１０】
請求項３記載の発明は、前記レーザ照射体は、レーザ光の指向方向を変更する駆動機構及び／又はレーザ光の断面形状を変更する制御機構が設けられていることを特徴とする請求項１又は２に記載のレーザ照明具を提供する。
【００１１】
請求項４記載の発明は、前記レーザ照射体が照射するレーザ光の主波長が、５００〜５６５ｎｍであることを特徴とする請求項１乃至３いずれかに記載のレーザ照明具を提供する。
【００１２】
請求項５記載の発明は、前記レーザ照射体の出力が、クラス２以下であることを特徴とする請求項１乃至４いずれかに記載のレーザ照明具を提供する。
【００１３】
請求項６記載の発明は、透光性の材質で形成されるとともに光を乱反射させる複数の反射部が含有される透光体と、前記透光体下端に配置されるとともに該透光体へレーザ光を照射するレーザ照射体を有する置物を提供する。
【００１４】
請求項７記載の発明は、前記レーザ照射体は、レーザ光の指向方向を変更する駆動機構及び／又はレーザ光の断面形状を変更する制御機構が設けられていることを特徴とする請求項６に記載の置物を提供する。
【００１５】
請求項８記載の発明は、前記レーザ照射体が照射するレーザ光の主波長が、５００〜５６５ｎｍであることを特徴とする請求項６又は７に記載の置物を提供する。
【００１６】
請求項９記載の発明は、前記レーザ照射体の出力が、クラス２以下であることを特徴とする請求項６乃至８いずれかに記載の置物を提供する。
これらの発明を提供することによって、上記課題を悉く解決する。
【発明の効果】
【００１７】
請求項１記載の発明によれば、光源がレーザ照射体を有するので、展示品に照射されて反射するレーザ光のみが購買者の視覚に映ることになるので、展示品があたかも自らが発光している如き状態となり、極めて演出効果の高い状態を提供することができるレーザ照明具を提供する。
【００１８】
請求項２記載の発明によれば、載置台が透光性の材質で形成されているので、展示品に照射されて反射したレーザ光が乱反射して載置台内部に入射することになるので、レーザ光による光の模様を生じることができ極めて演出効果の高いレーザ照明具を提供する。
【００１９】
請求項３記載の発明によれば、レーザ光の指向方向を変更したり、レーザ光の断面形状を変更させたりすることができるので、多種多様な光の模様を作成することができ演出効果を高めることができるレーザ照明具を提供する。
【００２０】
請求項４記載の発明によれば、レーザ光の主波長が５００〜５６５ｎｍであるので、緑色のレーザ光を照射して使用することになるので、比視感度が高いレーザ光を使用することになり、他の波長のレーザ光を使用する場合に比して、出力を低減して使用することができるレーザ照明具を提供する。
また、この波長のレーザ光は、健常者のみならず、色覚異常者であっても明るく確実に楽しみながら見ることができる。
【００２１】
請求項５記載の発明によれば、レーザ照射体の出力がレベル２以下であるので、通常の屋内であればレーザ光の光路（軌道）を認識することができない一方で、展示品に反射したレーザ光のみを認識することができるようになり、極めて効果的な演出を奏することができるレーザ照明具を提供する。
【００２２】
請求項６記載の発明によれば、レーザ光が透明部に照射され、透明部でレーザ光が乱反射して様々な模様を生じることができる置物を提供することができる。
【００２３】
請求項７記載の発明によれば、レーザ光の指向方向を変更したり、レーザ光の断面形状を変更させたりすることができるので、多種多様な模様を作成することができ演出効果を高めることができる置物を提供する。
【００２４】
請求項８記載の発明によれば、レーザ光の主波長が５００〜５６５ｎｍであるので、緑色のレーザ光を照射して使用することになるので、比視感度が高いレーザ光を使用することになり、他の波長のレーザ光を使用する場合に比して、出力を低減して使用することができる置物を提供する。
また、この波長のレーザ光は、健常者のみならず、色覚異常者であっても明るく確実に楽しみながら見ることができる。
【００２５】
請求項９記載の発明によれば、レーザ照射体の出力がレベル２以下であるので、通常の屋内であればレーザ光の光路（軌道）を認識することができない一方で、展示品に反射したレーザ光のみを認識することができるようになり、極めて効果的な演出を奏することができる置物を提供する。
【発明を実施するための最良の形態】
【００２６】
本発明を実施するための最良の形態を説明する。
本発明に係るレーザ照明具及び置物の基本原理は、光源にレーザ光を照射することが可能なレーザ照射体を利用することにより、レーザ照明具では展示される展示品に対して極めて効果的な演出効果を奏し、置物では置物を閲覧する閲覧者に対して極めて興味を沸き立たせるような演出上の効果を奏することができる。
【００２７】
本発明に係るレーザ照明具と置物の基本構成は、レーザ照射体を有する光源を有することである。
まず、本発明に係るレーザ照明具（１）の構成の説明を行う。
図１は、本発明に係るレーザ照明具を示す図であり、（ａ）は平面図であり、（ｂ）は正面図であり、（ｃ）は側面図である。図２は、本発明に係る光源を示す図であり、（ａ）は平面図であり、（ｂ）は側面図であり、（ｃ）は（ａ）で示されるＡ−Ａ線断面図である。図３は、本発明に係るレーザ照明具の一実施例を示す。図４は、本発明に係るレーザ照明具を利用する一実施例である。
【００２８】
レーザ照明具（１）は、光源（２）と載置台（３）を有してなる。
レーザ照明具（１）の基本構成として、載置台（３）の載置面に対して上方、下方又は側方に、光源（２）が配置されている。この光源（２）の配置位置は、特に限定されず、載置面を確実にレーザ光により照明することができれば何れであっても構わない。
本発明の実施例である図１、３及び４では、載置台（３）に対して光源（２）が上方に配置される場合を示しており、特に載置面に対して直角方向の位置に配されている。
【００２９】
レーザ照明具（１）は、上記の如く、光源（２）を載置台（３）に対して、上方、下方又は側方に配置され、載置台（３）の載置面に対して光源（２）からの照明光を照明することができる位置に配されていれば、レーザ照明具（１）の形態は特に限定されるものではない。
図１で示されるレーザ照明具（１）は、コ字状に形成される底部（１１）と、底部（１１）の両端から直角方向に延設される支柱部（１２）と、支柱部（１２）の上端から底部（１１）と略平行に配されるとともに光源（２）を保持する保持部（１３）から構成されている。
この底部（１１）は、レーザ照明具（１）を確実に直立させて維持させることができれば、コ字状に限定されるものではなく、任意の形状が利用される。
支柱部（１２）は、レーザ照明具（１）の高さを設定することができるとともに、光源（２）と載置台（３）との距離を設定することができる。この支柱部（１２）の高さ（Ｈ）は、特に限定されるものではないが、光源（２）がレーザ光を利用するため、この高さ（Ｈ）が長く設定されても、レーザ光が拡散することを心配する必要がない。
保持部（１３）は、光源（２）を保持することができれば、特に形状は限定されず、できるだけ軽量に形成されることが好ましい。図１（ａ）の実施例では、この保持部（１３）が底部（１１）と同じ形状の第１保持部（１３１）と第１保持部（１３１）に接続されるとともに光源（２）に接続されて光源（２）を固定する第２保持部（１３２）からなる。
【００３０】
光源（２）は、レーザ照射体（２１）と電灯又はＬＥＤからなる従来の照明装置を使用する通常照射体（図示せず）を有している。
このレーザ照射体（２１）が照射することのできるレーザ光は、種々の波長を有するレーザを照射することができるように設定されている。具体的には、光の三原色である赤色（主波長６２５〜７４０ｎｍ）、緑色（主波長５００〜５６５ｎｍ）及び青色（４５０〜４８５ｎｍ）の夫々を照射することができる。
レーザ照射体（２１）が照射するレーザ光の出力は、クラス２（１ｍＷ）以下の出力であることが好ましい。このようにクラス２以下であることにより、閲覧者や購買者の目に直接レーザ光が照射された場合であっても、問題が生じることがなく、安全性を高くして利用することができる。
また、このようにレーザ照射体（２１）が設定されることにより、緑色のレーザ光を使用する場合には、赤色や青色に比して、比視感度に対して極めて効果的な照明光とすることができる（図５参照）。
また、クラス２以下の出力のレーザ光を使用するので、通常の屋内であればこのレーザ光の光路を認識することが難しく、展示品等に反射した反射光しか認識することができなくなる。このため、展示品を照射する場合であれば、展示品があたかも自ら発光しているような演出を奏することができ、極めて閲覧者や購買者の興味を引くことになる。
【００３１】
レーザ照射体（２１）は、レーザ光の指向方向を変更する駆動機構（図示せず）やレーザ光の断面形状を変更する制御機構（図示せず）が設けられていることが好ましい。
この駆動機構は、レーザ照射体（２１）自体の指向方向を変更するように設定することができる。この駆動機構によって、展示品に照射されて反射される光に動きを付けることができ、更に、演出効果を向上させることができる。
この駆動機構の運動は、具体的には、一定区間を往復する直線運動、ある一点を中心とする円/楕円軌道運動や、波動運動等を例示することができる。
また、レーザ光の出力を点灯式に行うことにより、更なる演出効果を向上させることができる。尚、これらの演出効果を組み合わせることにより、更に演出効果を向上させることができる。
【００３２】
制御機構は、レーザ光の断面形状を変更させることができる。このことによって、演出効果を高めることができるとともに、駆動機構と組み合わせることによって更なる演出効果の向上を奏することができるようになる。
また、上記の駆動機構及び制御機構に時間式機能（タイマー機能）を装着して、所定時間に応じる光のショーを見せることもできる。
【００３３】
載置台（３）は、透光性の材質で形成されていることが好ましい。
図４で示す如く、載置台（３）が透光性の材質の立体で形成されることにより、展示品にレーザ光が照射され、反射光が乱反射することになるが、この乱反射した光がこの載置台（３）内に進入した場合に、この乱反射する光を再度演出効果として利用することができる。
この透光性の材質は、光透過性を有する素材であれば特に限定されず、水や透明のアクリルを利用することができる。尚、この透光性の素材の中に、光の乱反射を促すような乱反射部を設けることもできる。この乱反射部は、気泡や短い針金を設けることにより形成される。
尚、図４では、透明で直方体のアクリル（３１）により載置台（３）を構成している。この場合上端のアクリルの上面が載置面を構成することになる。
【００３４】
図６は、本発明に係るレーザ照明具を利用する一実施例である。この図６に示される実施例では、載置台（３）の載置面に展示品（Ａ）を載置して、載置台（３）の上方に配置される光源（２）のレーザ照射体（２１）からレーザ光が展示品（Ａ）に照射されている。
この場合、レーザ光は展示品（Ａ）が通過する光路部分は、閲覧者に認識されにくいが、展示品（Ａ）に照射された反射光は、閲覧者に認識可能となる。このため、閲覧者は、展示品（Ａ）が自ら発光したような印象を受ける。つまり、極めて効果的な演出効果を奏することができるようになる。
また、レーザ照射体（２１）は、駆動機構や制御機構やタイマーを利用することにより、反射して認識可能となるレーザ光を自由に又は定期的に運動させることにより、更に演出効果を向上させることができる。
またさらに、展示品（Ａ）から反射したレーザ光が、載置台（３）内部に進入することになるので、レーザ光が更なる演出効果を奏することができるようになる。尚、通常照射体とレーザ照射体（２１）を組み合わせることにより、更なる演出効果を奏することもできる。
【００３５】
次に、本発明に係る置物（１００）について説明する。
図７で示す如く、本発明に係る置物（１００）は、レーザ照射体（１０１）と透明体（１０２）からなる。
この置物（１００）は、最下部にレーザ照射体（１０１）が配置され、そのレーザ照射口から透明体（１０２）が載置されるように構成されている。
【００３６】
このレーザ照射体（１０１）は、レーザ照明具（１）で説明したレーザ照射体（２１）を利用している。各機能や構成は、レーザ照射体（２１）と同じである。
【００３７】
透明体（１０２）は、透光性の材質で形成されている。また、この透明体（１０２）内部には、レーザ光を乱反射させる複数の反射部（１０３）が備えられている。
この透明体（１０２）は、光を透過することのできる素材であれば特に限定されず、例えば、アクリルの素材で形成されることができる。この透明体（１０２）の大きさや形状は、特に限定されず、レーザ光の光路を遮断するように配置されている。図７では、透明体（１０２）は立方体形状に形成されている。
この反射部（１０３）は、光を反射又は乱反射させることができれば、特に限定されるものではなく、アクリルの素材であれば気泡や短い長さの針金などで形成することができる。
尚、この反射部（１０３）は透明体（１０２）の略中央に配置されることが好ましく、このように配置されることによって最も効果的に光路を遮断することができるようになる。
図７は、３つの透明体（１０２）を利用して置物（１００）を形成している。最上段には、複数の気泡からなる反射部（１０３１）を備える透明体（１０２）が配置されている。この気泡は、立方体に形成される透明体（１０２）の四隅に広がるように設けられている。
また、最下段には、複数の短い針金からなる反射部（１０３２）を備える透明体（１０２）が配置されている。この針金は、立方体に形成される透明体（１０２）の略中央に配置されている。
中央段には、複数の気泡と針金からなる反射部（１０３３）を備える透明体（１０２）が配置されている。この複数の気泡と針金は、立方体に形成される透明体（１０２）の略中央に配置されている。
このように、複数の異なる反射部（１０３）を有する透明体（１０２）を重ねて配置することにより、各透明体（１０２）が有するレーザ光の乱反射を効果的に演出することが可能となる。
【００３８】
本発明に係る置物（１００）の動作を説明する。
この置物（１００）は、上記の構成で説明される如く、レーザ照射体（１０１）からのレーザ光が、最下段の透明体（１０２）を通過することで、反射部（１０３２）によって乱反射し、効果的な光の演出効果を奏することができる。
また、最下段の透明体（１０２）からのレーザ光や反射部（１０３２）からのレーザ光が、中央段の透明体（１０２）に入射されることになる。
この場合も、中央段の透明体（１０２）に入射するレーザ光が、中央段の透明体（１０２）の反射部（１０３３）を通過することになるので、この反射部（１０３３）でレーザ光が乱反射することになる。
次いで、中央段の透明体（１０２）からのレーザ光や反射部（１０３３）からのレーザ光が、最上段の透明体（１０２）に入射されることになる。
この場合も、最上段の透明体（１０２）の反射部（１０３１）へレーザ光が入射されることになり、この反射部（１０３１）でレーザ光が乱反射することになる。
このように、各透明体（１０２）の反射部（１０３）に於いて乱反射するレーザ光により、演出効果の高い光の模様を映し出すことができる。
またさらに、レーザ照射体（１０１）が駆動機構や制御機構やタイマーを利用することにより、極めて多種多様な光の模様を映し出すことができる。
【図面の簡単な説明】
【００３９】
【図１】本発明に係るレーザ照明具を示す図であり、（ａ）は平面図であり、（ｂ）は正面図であり、（ｃ）は側面図である。
【図２】本発明に係る光源を示す図であり、（ａ）は平面図であり、（ｂ）は側面図であり、（ｃ）は（ａ）で示されるＡ−Ａ線断面図である。
【図３】本発明に係るレーザ照明具の一実施例を示す。
【図４】本発明に係るレーザ照明具を利用する一実施例である。
【図５】標準比視感度曲線を示す。
【図６】本発明に係るレーザ照明具の一実施例を示す。
【図７】本発明に係る置物を示す図である。
【符号の説明】
【００４０】
１・・・・・レーザ照明具
２・・・・・光源
２１・・・・レーザ照射体
３・・・・・載置台
１００・・・置物
１０１・・・レーザ照射体
１０２・・・透明体
１０３・・・反射部
Ａ・・・・・展示品
【図１】
2006323006.tif 000003
【図２】
2006323006.tif 000004
【図３】
2006323006.tif 000005
【図４】
2006323006.tif 000006
【図５】
2006323006.tif 000007
【図６】
2006323006.tif 000008
【図７】
2006323006.tif 000009